(57)【要約】【課題】端子−ソケットの配列の違いという、色以外によって同一形状のハウジング部とコネクタ部との識別を可能として、差し違いを防止する。【解決手段】ハーネス７８が物理的に届く範囲に同一形状のコネクタユニット７４が設けられている場合において、同一形状のコネクタユニット７４間の差別化を図るために、それぞれに異なる端子−ソケット配列とした。これにより、同一の型で成形が可能であり、細かい違いは、インサート成形等を用いることで、異なる形状のコネクタユニットを用いるよりも生産性を向上することができる。また、端子−ソケットの配列の変更は、成形時に行うため組付け作業工程に影響を及ぼすものではなく、逆に色分けによって差別化することによる成形時の生産性を向上することができる。【選択図】        図４
2004167156.tif 000002
【特許請求の範囲】
【請求項１】
少なくとも遊技の進行に必要な情報を電気的に入力或いは出力するための情報入出力機器と、前記情報入出力手段で入力した情報に基づいて遊技の進行に直接影響を与える可動部材を動作させるための駆動源と、遊技に進行状態を少なくとも視覚、聴覚を介して遊技者へ報知する報知機器と、前記情報入出力機器、前記駆動源、前記報知機器を制御するための複数の制御基板と、で構成された遊技機において、
前記複数の制御基板間、特定の制御基板と前記情報入出力機器、前記駆動源、前記報知機器のそれぞれとの間、を電気的に接続するためのハウジング部とコネクタ部とで構成されるコネクタユニットであって、
前記ハウジング部又は前記コネクタ部の一方に設けられた複数の端子群と、
前記ハウジング部又は前記コネクタ部の他方に設けられ前記端子が嵌入することで電気的な接続をなすソケット群と、
少なくとも物理的に配線が届く範囲内の同一形状のハウジング部及びコネクタ部における端子群−ソケット群を異なる配列としたことを特徴とする遊技機用コネクタユニット。
【請求項２】
前記同一の形状の前記ハウジング部及びコネクタ部に対して、色分けし、前記端子群−ソケット群の配列による差別と共に色による差別化を併用したことを特徴とする請求項１記載の遊技機用コネクタユニット。
【発明の詳細な説明】
【０００１】
【発明の属する技術分野】
本発明は、遊技機に用いられ、複数の制御基板間、特定の制御基板と情報入出力機器、駆動源、報知機器のそれぞれとの間、を電気的に接続するためのハウジング部とコネクタ部とで構成されるコネクタユニットに関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
パチンコ機には、上記始動入賞口や大入賞口等にパチンコ球が入賞したことを検出する入賞センサが設けられると共に、抽選の結果を報知するための報知機器が必要であり、さらに、遊技盤上で動作する可動部材を動作させるための駆動源、遊技者の遊技意欲を増すための電飾機器等が多数設けられている。
【０００４】
これらの電気機器は、遊技盤の裏面側に配設された複数の制御基板から配線されているため、制御基板には、複数のコネクタユニットと一方（ハウジング部）が配列されている（特許文献１参照）。
【０００５】
なお、上記では、パチンコ機を例にとって説明したが、パチスロ機等、他の遊技機においても、年々電気機器は増加の一途をたどっており、制御基板上のコネクタユニットもこれに比例して増加している。
【０００６】
この結果、同一形状（同数のピン）のコネクタユニットが隣接しあって配設されることも少なくないため、組付け作業時の差し違いを防止するため、従来では、コネクタユニットの色を変えて、差別化を図っていた。
【０００７】
なお、特許文献２では、形状の異なるコネクタを適用することで、差し違い等を防止することが提案されている。
【０００８】
【特許文献１】
特開平１０−２７７２１４号公報
【特許文献２】
特開２００１−８７５１９公報
【０００９】
【発明が解決しようとする課題】
しかしながら、色を変えるためには、色の異なる素材を変更しなければならず、成形作業が煩雑となると共に、色による識別にも限度があるため、同一形状のコネクタユニットを接近して配置せざるを得ず、差し違いを確実に防止することができない。
【００１０】
また、形状が異なるコネクタを用いることは差し違い防止に有効ではあるが、多数のコネクタユニットが隣接する場合、全てを異なる成形型で成形したコネクタユニットを適用しなければならず、大量生産に適さず、作業効率の低下、コストアップを招くことになる。
【００１１】
本発明は上記事実を考慮し、端子−ソケットの配列の違いという、色以外によって同一形状のハウジング部とコネクタ部との識別を可能として、差し違いを防止することができるコネクタユニットを得ることが目的である。
【００１２】
【課題を解決するための手段】
請求項１に記載の発明は、少なくとも遊技の進行に必要な情報を電気的に入力或いは出力するための情報入出力機器と、前記情報入出力手段で入力した情報に基づいて遊技の進行に直接影響を与える可動部材を動作させるための駆動源と、遊技に進行状態を少なくとも視覚、聴覚を介して遊技者へ報知する報知機器と、前記情報入出力機器、前記駆動源、前記報知機器を制御するための複数の制御基板と、で構成された遊技機において、前記複数の制御基板間、特定の制御基板と前記情報入出力機器、前記駆動源、前記報知機器のそれぞれとの間、を電気的に接続するためのハウジング部とコネクタ部とで構成されるコネクタユニットであって、前記ハウジング部又は前記コネクタ部の一方に設けられた複数の端子群と、前記ハウジング部又は前記コネクタ部の他方に設けられ前記端子が嵌入することで電気的な接続をなすソケット群と、少なくとも物理的に配線が届く範囲内の同一形状のハウジング部及びコネクタ部における端子群−ソケット群を異なる配列としたことを特徴としている。
【００１３】
請求項１記載の発明によれば、制御基板には、情報入出力機器、駆動源、報知機器等から複数の電気配線が集中する。電気配線の接続には、メンテナンス等の際に着脱が可能なようにコネクタユニットを介して接続される。
【００１４】
このコネクタユニットは、形状が異なれば差し違いは発生することがないが、同一形状の場合、物理的に配線が届く範囲内であれば差し違いが発生する可能性がある。
【００１５】
そこで、予め成形段階でハウジング部とコネクタ部とのそれぞれに設けられた端子群とソケット群の配列を、物理的に配線が届く範囲内では異なる配列とする。これにより、作業者はコネクタ部をハウジング部に挿入（結合）しようとしても、端子群の配列と、ソケット群の配列が異なるため、挿入することできず、挿入前に正誤を判断することができる。
【００１６】
請求項２に記載の発明は、前記請求項１に記載の発明において、前記同一の形状の前記ハウジング部及びコネクタ部に対して、色分けし、前記端子群−ソケット群の配列による差別と共に色による差別化を併用したことを特徴としている。
【００１７】
請求項２に記載の発明によれば、端子群−ソケット群の配列による差別化と、従来から適用していた色分けによる差別化を併用することで、色のみで差別化していた場合に比べて数段の差別化が可能となる。また、色の種類を減らしても差別化する数を増やすことができ、成形時の素材の変更工数が減るため、成形作業効率が向上する。
【００１８】
【発明の実施の形態】
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００１９】
内枠１４には、複数の表示等６２、６３やスピーカ６４、６６が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００２０】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２１】
一体皿２６は、その一側部（図１の左辺部）が内枠１４に対して開閉可能に取付けられている。一体皿２６の前面には、左側下部に灰皿２８が配置され、右側下部には発射装置１６４（図３参照）から発射する打球の飛距離を調整するための発射ハンドル３０が設けられている。
【００２２】
また内枠１４の窓部には、遊技盤載置台に載せて交換可能とされた遊技盤３２が窓部に対応して設置されている。
【００２３】
図２に示される如く、遊技盤３２は、外バンド３６及び内バンド３８によって囲まれた略円形状の遊技領域４０が形成されている。
【００２４】
遊技領域４０には、図示しない釘や風車の他、センター役物４２、当該センター役物４２に設けられた特別図柄表示装置４３、並びに大入賞口（変動入賞装置）４４等の役物、始動口４６や通過装置４８、入賞装置４９等の遊技部品が取り付けられており、最下位置にアウト口５４が配置されている。
【００２５】
図３には、パチンコ機１０を制御するための制御系の概略が示されている。制御系は、主制御基板１５０を中心として、払出制御基板１５２、音声制御基板１５４、ランプ制御基板１５６、発射制御基板１５８、図柄表示制御基板１６０等、機能毎に分類されている（なお、以下これらを総称する場合、副制御基板１５１という）。
【００２６】
なお、主制御基板１５０並びに副制御基板１５１は、管理制御基板２０６を介してパチンコ店側のホールコンピュータ２０８に接続することにより、パチンコ機の稼動状況を管理することも可能となっている。
【００２７】
主制御基板１５０には、遊技に関する基本的なプログラムが記憶されており、この主制御基板１５０からの命令信号に基づいて、その他の副制御基板１５１が独自に実行する。
【００２８】
払出制御基板１５２は、払出賞球装置１６２を制御して、球貸し時の払出し、入賞時の賞球に応じてパチンコ球を払い出すものであり、音声制御基板１５４は、パチンコ機１０に設けられたスピーカ６４、６６からの効果音等の出力を制御する。また、ランプ制御基板１５６は、パチンコ機１０に取り付けられた複数の表示灯６２、６３の点灯・消灯を制御し、発射制御基板１５８は、発射装置１６４を制御して、遊技者によるハンドル３０の操作に応じてパチンコ球を打ち出す。
【００２９】
図柄表示制御基板１６０は、前記特別図柄表示装置４３と接続されており、主制御基板１５０からの命令信号に基づいて、所定の演出効果をもたらす表示を実行する。
【００３０】
前記主制御基板１５０には、始動口４６に設けられた始動入賞センサ１６８、通過装置４８、入賞装置４９に入賞したパチンコ球を検出する入賞センサ１７１、１７２、並びに大入賞口４４に入賞したパチンコ球を検出する大入賞口センサ１７３が接続されている。なお、大入賞口４４には、大入賞口の開閉動作を継続するためのＶゾーンが設けられており、このＶゾーンにもＶゾーンセンサ１７７が設けられており、主制御基板１５０に接続されている。
【００３１】
また、この主制御基板１５０には、始動口４６に設けられた電動チューリップ４７を開閉させるためのソレノイド１７４、大入賞口４４を開閉させるためのソレノイド１７５が接続されている。
【００３２】
また、主制御基板１５０では、特別図柄や普通図柄の当／外抽選がなされ、この抽選結果に基づく特別図柄表示装置４３での表示内容を選択し、図柄表示制御基板１６０へ命令信号を出力する。すなわち、図柄表示制御基板１６０には、複数種の命令信号に基づく異なる表示内容のデータが予め記憶されており、命令信号に基づいてデータが選択されて、起動するようになっている。
【００３３】
なお、図示は省略したが、遊技盤３２に設けられる普通図柄表示装置や保留ランプ等も主制御基板１５０によって制御されるようになっている。
【００３４】
上記の如く、本実施の形態のパチンコ機１０では、複数の制御基板（主制御基板１５０、副制御基板１５１）に対して、遊技盤面等に設けられた電気部品（電気機器）からの配線が張り巡らされ、かつ基板同士も電気的配線によって接続されている。
【００３５】
図４には、副制御基板１５１の一部を構成する基板７０上に複数の配線が接続されている状態が示されており、この基板７０には、３種類のコネクタユニット７２、７４、７６を介して、それぞれ別の基板や電気部品等からの配線が接続されている。
【００３６】
図４に示される如く、基板７０は、略Ｔ字型であり、幅広部には、最も大型のコネクタユニット７２のコネクタ部７２Ａが基板７０上のパターン（図示省略）に予め半田付けされており、リード線の束（以下ハーネス７８という）が一列に配列された状態でハウジング部７２Ｂに取り付けられている。
【００３７】
また、基板７０における幅狭部の両端部には、中型のコネクタユニット７４のコネクタ部７４Ａと、小型のコネクタユニット７６のコネクタ部７６Ａとが混在して取り付けられている。
【００３８】
ハウジング部７４Ｂ、７６Ｂは、コネクタ部７４Ａ、７６Ａに挿入されることで、コネクタ部７４Ａ、７６Ａに設けられた複数の端子８４（図５参照）が同時にハウジング部７４Ｂ、７６Ｂに設けられたソケット８５に嵌合され、電気的接続がなされるようになっている。なお、メカ的にはハウジング部７６Ｂのフック部８６が、コネクタ部７６Ａの矩形孔８８に係合されることで接続が完了する。また、図示は省略したが、コネクタ部７４Ａとハウジング部７４Ｂも同様の構造の係合手段によって係合されることで接続が完了する。
【００３９】
ここで、図４の上面視で左端部は、一対の小型のコネクタユニット７６が、１個の中型のコネクタユニット７４を挟むように配列され、右端部は中型のコネクタユニット７４に続いて３個の小型のコネクタユニット７６が配列されている。
【００４０】
すなわち、２個の中型のコネクタユニット７４は、同一形状であるため、それぞれのハウジング部７４Ｂが、それぞれのコネクタ部７４Ａに接続可能であり、５個の小型のコネクタユニット７６も同一形状であるため、それぞれのハウジング部７６Ｂが、それぞれのコネクタ部７６Ａに接続可能である。このため、組付け作業時に差し違いが起こり得ることになる。なお、ハーネス７８が物理的に届かない場合には、差し違いは起こり得ない。
【００４１】
そこで、本実施の形態では、ハーネス７８が物理的に届く範囲内に、同一形状のコネクタユニット（ここでは、中型、小型）が存在する場合に、それぞれ異なる端子配列とすることで差別化を図っている。すなわち、図５に示される如く、中型のコネクタユニット７４を挟むように、接近して設けられた一対の小型のコネクタユニット７６に対して、異なる端子配列としている。
【００４２】
図６に示される如く、一方の小型のコネクタユニット７６のコネクタ部７６Ａには、２本の端子８４が、端子突出面９０に向かって左肩上がりの対角線に沿って設けられている（図６（Ａ）参照）。これに対応するハウジング部７６Ｂには、２個のソケット８５が、ソケット形成面９２に向かって右肩上がりの対角線に沿って設けられている（図６（Ｃ）参照）。これにより、端子突出面９０とソケット形成面９２とが対面することで、端子８４がソケット８５に挿入可能である。
【００４３】
図７に示される如く、他方の小型のコネクタユニット７６のコネクタ部７６Ａには、２本の端子８４が、端子突出面９０に向かって右肩上がりの対角線に沿って設けられている（図７（Ａ）参照）。これに対応するハウジング部７６Ｂには、２個のソケット８５が、ソケット形成面９２に向かって左肩上がりの対角線に沿って設けられている（図７（Ｃ）参照）。これにより、端子突出面９０とソケット形成面９２とが対面することで、端子８４がソケット８５に挿入可能である。
【００４４】
上記のように、外形は同一形状であり、端子−ソケットの配列が異なる１対の小型のコネクタユニット７６を接近配置することで、互いの誤挿入を防止するようにしている。
【００４５】
すなわち、図６（Ａ）に示した一方のコネクタユニット７６のコネクタ部７６Ａの端子突出面９０と、図７（Ｃ）に示した他方のコネクタユニット７６のハウジング部７６Ｂのソケット形成面９２とを対面させると、端子８４の位置とソケット８５の位置とが異なるため、挿入できない。
【００４６】
同様に、図７（Ａ）に示した一方のコネクタユニット７６のコネクタ部７６Ａの端子突出面９０と、図６（Ｃ）に示した他方のコネクタユニット７６のハウジング部７６Ｂのソケット形成面９２とを対面させると、端子８４の位置とソケット８５の位置とが異なるため、挿入できない。
【００４７】
以下に本実施の形態の作用を説明する。
【００４８】
（通常の遊技の流れ）
遊技者がハンドル３０を把持し、発射のための操作を行なうと、このハンドル操作量（回転量）に応じた強度で、パチンコ球が打ち出される。
【００４９】
パチンコ球が打ち出されると、外バンド３６及び内バンド３８に案内されて盤面３２の釘や風車等に当接しながら、予測し得ない移動をしながら落下していく。ここで、始動口４６にパチンコ球が入賞すると、乱数カウンタを用いて所定の確率下で大当り抽選が開始される。この大当り抽選の結果、当り／外れが決定すると、それぞれにおいて、予め準備された図柄変動パターン（図柄変動パターン）を選択（乱数カウンタで選択してもよい）し、特別図柄表示装置４３に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００５０】
すなわち、当り時の図柄変動制御が終了すると、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００５１】
上記のように遊技を進行させるためには、複数の電気機器、電気部品が主制御基板１５０や副制御基板１５１によって制御されている。このため、主制御基板１５０や副制御基板１５１には、多数の配線がコネクタユニットを介して接続されている。
【００５２】
図４に示される如く、副制御基板１５１の一部を構成する基板７０においても、合計８個のコネクタユニット（１個の大型のコネクタユニット７２、２個の中型のコネクタユニット７４、５個の小型のコネクタユニット７６）が混在しており、組付けの際に、ハーネス７８が物理的に届く範囲では、同一形状のコネクタユニット間で差し違いが起こり得る。
【００５３】
そこで、本実施の形態では、同一形状のコネクタユニットを差別化するべく、同一形状のコネクタユニットが物理的にハーネス７８が届く範囲内に接近して配置される場合、それぞれの端子−ソケットの配列を異ならせた。
【００５４】
すなわち、図５に示すように、中型のコネクタユニット７４を間に挟んで、一対の小型のコネクタユニット７６が接近配置されたときのそれぞれの端子−ソケットが左右対称となっている。
【００５５】
一方のコネクタ部７６Ａ（図６参照）には、２本の端子８４が、端子突出面９０に向かって左肩上がりの対角線に沿って設けられ、他方のコネクタ部７６Ａ（図７参照）には、２本の端子８４が、端子突出面９０に向かって右肩上がりの対角線に沿って設けられているため、一方のコネクタ部７６Ａの端子８４は、他方のハウジング部７６Ｂのソケット８５に挿入することができず、他方のコネクタ部７６Ａの端子８４は、一方のハウジング部７６Ｂのソケット８５に挿入することができない。
【００５６】
なお、上記では、一対の小型のコネクタユニット７６に対して差別化を行うべく、互いに異なる対角線上に端子８４を配置したが、３個以上の小型のコネクタユニット７６を差別化する場合には、端子突出面９０を座標面として座標によってそれぞれの端子位置を定めるようにしてもよい。
【００５７】
また、小型のコネクタユニット７６のみならず、中型のコネクタユニット７４においても、端子−ソケットの配列を異ならせることで、同様の効果（差別化による誤挿入防止）を得ることができる。
【００５８】
以上説明したように本実施の形態では、ハーネス７８が物理的に届く範囲に同一形状のコネクタユニット７４が設けられている場合において、同一形状のコネクタユニット７４間の差別化を図るために、それぞれに異なる端子−ソケット配列とした。これにより、成形品の大部分が同一であるため、同一の型で成形が可能であり、端子８４を取り付ける穴の位置やソケット８５をソケット形成面に形成する位置等の細かい違いは、インサート成形等を用いることで、異なる形状のコネクタユニットを用いるよりも生産性を向上することができる。
【００５９】
また、端子−ソケットの配列の変更は、成形時に行うため組付け作業工程に影響を及ぼすものではなく、逆に色分けによって差別化することによる成形時の生産性を向上することができる。
【００６０】
なお、本実施の形態では、端子−ソケットの配列により、同一形状のコネクタユニットの差別化を図ったが、これに加え、従来からなされている色分けによる差別化を併用してもよい。但し、色分けと端子−ソケットの配列による差別化を併用することで、色数×配列数の識別が可能となり（例えば、２色を用いれば、２倍の識別が可能）、数多くの色を必要とせず、従来に比べて成形時の素材の色変え作業を軽減することができる。
【００６１】
また、本実施の形態では、同一の基板７０上での差し違いについて説明したが、異なる基板間においても、ハーネス７８が物理的に届く範囲内であれば、端子−ソケットの配列による差別化を図ることが好ましい。
【００６２】
さらに、本実施の形態では、遊技機としてパチンコ機１０を例にとり説明したが、パチスロ機等他の遊技機においても適用可能である。
【００６３】
【発明の効果】
以上説明した如く本発明では、端子−ソケットの配列の違いという、色以外によって同一形状のハウジング部とコネクタ部との識別を可能として、差し違いを防止することができるという優れた効果を有する。
【図面の簡単な説明】
【図１】本実施の形態に係るパチンコ機の正面図である。
【図２】本実施の形態に係る遊技盤の正面図である。
【図３】本実施の形態に係るパチンコ機における制御系のブロック図である。
【図４】基板上に設けられたコネクタユニットを示す斜視図である。
【図５】図４における小型のコネクタユニットを取り外した状態の拡大斜視図である。
【図６】本実施の形態の基板に設けられた一方の小型のコネクタユニットを示し、（Ａ）はコネクタ部の正面図、（Ｂ）はコネクタ部の右側面図、（Ｃ）はハウジング部の正面図、（Ｄ）はハウジング部の左側面図である。
【図７】本実施の形態の基板に設けられた他方の小型のコネクタユニットを示し、（Ａ）はコネクタ部の正面図、（Ｂ）はコネクタ部の右側面図、（Ｃ）はハウジング部の正面図、（Ｄ）はハウジング部の左側面図である。
【符号の説明】
１０    パチンコ機
３２    遊技盤
４３    特別図柄表示装置（報知機器）
６２、６３    表示灯（入出力機器）
６４、６６    スピーカ（入出力機器）
７０    基板
７２    大型のコネクタユニット
７４    中型のコネクタユニット
７４Ａ    コネクタ部
７４Ｂ    ハウジング部
７６    小型のコネクタユニット
７６Ａ    コネクタ部
７６Ｂ    ハウジング部
７８    ハーネス
８４    端子
８５    ソケット
９０    端子突出面
９２    ソケット形成面
１５０    主制御基板（制御基板）
１５１    副制御基板（制御基板）
１６２    払出賞球装置（駆動源）
１６４    発射装置（駆動源）
１６８    始動入賞センサ（入出力機器）
１７１、１７２    入賞センサ（入出力機器）
１７３    大入賞口センサ（入出力機器）
１７７    Ｖゾーンセンサ（入出力機器）
１７４    ソレノイド（駆動源）
１７５    ソレノイド（駆動源）
【図１】
2004167156.tif 000003
【図２】
2004167156.tif 000004
【図３】
2004167156.tif 000005
【図４】
2004167156.tif 000006
【図５】
2004167156.tif 000007
【図６】
2004167156.tif 000008
【図７】
2004167156.tif 000009